(57)【要約】【課題】所望のウェブページを容易に探し出して表示できる住宅設備監視システムを提供する。【解決手段】表示制御装置ＣＶでは、操作入力受付手段たる操作部５３で受け付けた検索条件に一致するウェブページの検索を要求する要求メッセージを検索要求手段たるマイコン部５０で作成してＬＡＮインタフェース部５１より各コントローラＣｎ宛てに送信させる。そして、前記検索要求の要求メッセージに対して各コントローラＣｎで行われた検索結果をマイコン部５０で実行するウェブブラウザがＬＡＮインタフェース部５１より受け取って表示部５２の液晶ディスプレイに表示させる。故に、従来のように何階層ものリンクを辿らなくても、所望のウェブページを容易に探し出して表示できる。【選択図】図１
2007257523.tif 000002
【特許請求の範囲】
【請求項１】
住宅内に設置されたコントローラが住宅設備の監視を行う複数のサブシステムと、各サブシステムのコントローラと伝送路を介して接続される１乃至複数の端末装置とを備え、これら複数のコントローラと端末装置とが宅内ネットワークを構成し、前記端末装置から前記宅内ネットワークを通じて伝送される要求メッセージに基づいて前記各サブシステムのコントローラが住宅設備の監視を行うとともに当該監視の結果を示す応答メッセージが当該コントローラから前記端末装置に対して前記宅内ネットワークを通じて伝送されてなり、前記コントローラは、前記監視に関わる内容を含んだ複数のウェブページを前記応答メッセージにより前記宅内ネットワークを通じて提供するウェブサーバ機能を有し、前記端末装置は、前記コントローラから提供されるウェブページを画面に表示して閲覧するためのウェブブラウザ機能を有してなる住宅設備監視システムであって、
前記端末装置は、前記宅内ネットワークを通じてデータ通信を行う通信手段と、少なくともウェブページを表示する表示手段と、前記コントローラから前記通信手段を介して受け取ったウェブページを前記表示手段に表示させるウェブブラウザ手段と、操作入力を受け付ける操作入力受付手段と、該操作入力受付手段で受け付けた検索条件に一致するウェブページの検索を要求する要求メッセージを作成して前記通信手段より前記コントローラ宛てに送信させる検索要求手段とを具備し、
前記ウェブブラウザ手段は、前記検索要求の要求メッセージに対して各コントローラで行われた検索結果を前記通信手段より受け取って前記表示手段に表示させることを特徴とする住宅設備監視システム。
【請求項２】
前記住宅設備の種類、用途、設置場所の少なくとも何れかを示すキーワードが前記ウェブページに含まれており、
前記操作入力受付手段は、前記検索条件として前記キーワードの入力受付が可能であることを特徴とする請求項１記載の住宅設備監視システム。
【請求項３】
前記操作入力受付手段は、前記検索条件として文字又は予め用意した複数種類の検索キーの入力受付が可能であることを特徴とする請求項１記載の住宅設備監視システム。
【発明の詳細な説明】
【技術分野】
【０００１】
本発明は、住宅内に設置された住宅設備、例えば、エアコンや照明器具あるいは種々のセキュリティ機器などの監視を行う住宅設備監視システムに関するものである。
【背景技術】
【０００２】
従来より、エアコンや照明器具あるいは種々のセキュリティ機器などの住宅設備の制御並びに監視を行う住宅設備監視制御システムが提供されている（例えば、特許文献１参照）。そして、かかる住宅設備監視制御システムにおいて、住宅設備の制御や監視に関わる情報（例えば、エアコンや照明器具の動作状態など）を表示デバイス（ＣＲＴやＬＣＤ）に表示することで前記情報を認識し易くするものとして表示装置（端末装置）が用意されている。また近年では、インターネットの普及に伴い、ＴＣＰ／ＩＰやＨＴＴＰなどのインターネットで用いられるプロトコルを使ってシステム内のデータ通信を行うものも提供され始めている。
【０００３】
さらに、住宅設備の制御及び監視を行うコントローラにウェブサーバ機能を搭載し、制御や監視に関わる複数の場面毎に用意された複数のウェブページ（ウェブページ群）をウェブサーバ機能によって端末装置に提供可能とし、端末装置に搭載されているウェブブラウザ機能で当該ウェブページを表示デバイスの画面に表示して閲覧できるようにした住宅設備監視制御システムも提供されている。かかるシステムにおいては、住宅設備の制御状態や監視状態が変化する毎に変化後の場面に対応したウェブページが端末装置に提供され、端末装置においてウェブページを閲覧することにより、使用者が住宅設備の制御や監視に関わる情報（例えば、エアコンや照明器具の動作状態など）を容易に認識できるものである。
【特許文献１】特開２００４−２９５４０８公報
【発明の開示】
【発明が解決しようとする課題】
【０００４】
ところで、各コントローラが保持するウェブページ群はツリー状にリンクした階層構造となっており、所望のウェブページを表示しようとしたときに何階層ものリンクを辿らなければならず、任意のウェブページを探し出して表示するのに多大な手間暇が掛かっていた。
【０００５】
本発明は上記事情に鑑みて為されたものであり、その目的は、所望のウェブページを容易に探し出して表示できる住宅設備監視システムを提供することにある。
【課題を解決するための手段】
【０００６】
請求項１の発明は、上記目的を達成するために、住宅内に設置されたコントローラが住宅設備の監視を行う複数のサブシステムと、各サブシステムのコントローラと伝送路を介して接続される１乃至複数の端末装置とを備え、これら複数のコントローラと端末装置とが宅内ネットワークを構成し、前記端末装置から前記宅内ネットワークを通じて伝送される要求メッセージに基づいて前記各サブシステムのコントローラが住宅設備の監視を行うとともに当該監視の結果を示す応答メッセージが当該コントローラから前記端末装置に対して前記宅内ネットワークを通じて伝送されてなり、前記コントローラは、前記監視に関わる内容を含んだ複数のウェブページを前記応答メッセージにより前記宅内ネットワークを通じて提供するウェブサーバ機能を有し、前記端末装置は、前記コントローラから提供されるウェブページを画面に表示して閲覧するためのウェブブラウザ機能を有してなる住宅設備監視システムであって、前記端末装置は、前記宅内ネットワークを通じてデータ通信を行う通信手段と、少なくともウェブページを表示する表示手段と、前記コントローラから前記通信手段を介して受け取ったウェブページを前記表示手段に表示させるウェブブラウザ手段と、操作入力を受け付ける操作入力受付手段と、該操作入力受付手段で受け付けた検索条件に一致するウェブページの検索を要求する要求メッセージを作成して前記通信手段より前記コントローラ宛てに送信させる検索要求手段とを具備し、前記ウェブブラウザ手段は、前記検索要求の要求メッセージに対して各コントローラで行われた検索結果を前記通信手段より受け取って前記表示手段に表示させることを特徴とする。
【０００７】
請求項２の発明は、請求項１の発明において、前記住宅設備の種類、用途、設置場所の少なくとも何れかを示すキーワードが前記ウェブページに含まれており、前記操作入力受付手段は、前記検索条件として前記キーワードの入力受付が可能であることを特徴とする。
【０００８】
請求項３の発明は、請求項１の発明において、前記操作入力受付手段は、前記検索条件として文字又は予め用意した複数種類の検索キーの入力受付が可能であることを特徴とする。
【発明の効果】
【０００９】
請求項１の発明によれば、操作入力受付手段で受け付けた検索条件に一致するウェブページの検索を要求する要求メッセージを検索要求手段で作成して前記通信手段より前記コントローラ宛てに送信させ、前記検索要求の要求メッセージに対して各コントローラで行われた検索結果を前記ウェブブラウザ手段が前記通信手段より受け取って前記表示手段に表示させるので、従来のように何階層ものリンクを辿らなくても、所望のウェブページを容易に探し出して表示できる。
【００１０】
請求項２の発明によれば、前記住宅設備の種類、用途、設置場所の少なくとも何れかを示すキーワードでウェブページを検索することができ、所望のウェブページをさらに容易に探し出すことができる。
【００１１】
請求項３の発明によれば、文字又は予め用意された複数種類の検索キーを使ってウェブページを検索することができ、所望のウェブページをさらに容易に探し出すことができる。
【発明を実施するための最良の形態】
【００１２】
以下、住宅設備の監視だけでなく制御も行う住宅設備監視制御システムに本発明の技術思想を適用した実施形態について、図面を参照して詳細に説明する。
【００１３】
本実施形態の住宅設備監視制御システムは、図３に示すように住宅内に設置されたコントローラＣ１，Ｃ２，Ｃ３が住宅設備の制御並びに監視を行う複数（図示例では３つ）のサブシステムＳＳ１，ＳＳ２，ＳＳ３と、各サブシステムＳＳｎのコントローラＣｎ（ｎ＝１，２，３）と伝送路（エンハンスト・カテゴリ５若しくはカテゴリ６のＬＡＮケーブル）を介して接続される統合管理装置ＴＭと、統合管理装置ＴＭにＬＡＮケーブルを介して接続される複数（図示例では、２つ）の端末装置（パーソナル・コンピュータＰＣ並びに表示制御装置ＣＶ）とを備え、これら複数のコントローラＣと統合管理装置ＴＭと端末装置とが汎用の通信プロトコル（ＴＣＰ／ＩＰ、ＵＤＰ、ＨＴＴＰなど）を利用した宅内ネットワークを構成している。この宅内ネットワークは、100BASE-TX（IEEE 802.3u）規格に準拠したローカルエリアネットワーク（ＬＡＮ）であって、ハブに相当する統合管理装置ＴＭに、ネットワーク端末に相当する各サブシステムＳＳｎのコントローラＣｎや端末装置（パーソナルコンピュータＰＣ並びに表示制御装置ＣＶ）などがスター配線で接続されている。さらに統合管理装置ＴＭは、インターネットに接続するための回線の種類（電話回線、ＣＡＴＶ回線、光ファイバ回線など）に応じてＡＤＳＬモデムやケーブルモデムあるいはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。
【００１４】
また、宅内ネットワークには住宅から離れた遠隔地に設置されたセンタ装置（センタサーバ）ＳＶがインターネットを通じて接続されており、後述するようにインターネットに接続可能なノート型のパーソナルコンピュータ、携帯電話機ＭＰ、ＰＤＡ（Personal Digital Assistance）等からなる携帯型の端末装置とセンタ装置ＳＶとの間でインターネットを介したデータ通信を行うことにより、例えば、携帯電話機ＭＰを使って外出先から住宅設備の制御や監視を行うことができる。センタ装置ＳＶは、ネットワーク機能を有する汎用のコンピュータ装置で構成されており、携帯電話機ＭＰ等の端末装置からインターネットを通じて送信されるコントローラＣｎ宛のメッセージやコントローラＣｎから宅内ネットワークに属さない端末装置に宛て送信されるメッセージを中継する機能を有している。
【００１５】
次に、個々のサブシステムＳＳｎについて説明する。
【００１６】
サブシステムＳＳ１は、照明器具や空調機器（エアコン）並びに電気錠等の住宅設備（設備機器）Ｘｍ（ｍ＝１，２，…）と、設備機器Ｘｍの制御並びに監視を行うコントローラ（以下、設備機器コントローラと呼ぶ。）Ｃ１と、住宅における使用電流を計測する電流計測装置Ｄとを備えている。ここで、設備機器コントローラＣ１は、自己の配下にある設備機器Ｘ１〜Ｘ４の名称並びに動作状態を文字や記号で表示するための多数のウェブページ（ウェブページ群）を保持しており、端末装置からの要求に応じて当該ウェブページ群の中から適切なウェブページを選んで宅内ネットワークを通じて端末装置に提供（配信）する機能（ウェブサーバ機能）を有している。
【００１７】
また電流計測装置Ｄは、住宅用分電盤（住宅盤）に収納されている主幹ブレーカに流れ込む電流を計測し、その計測値（使用電流）が予め決められている上限値を超えた場合、設備機器コントローラＣ１に機器停止（電源オフ）指令を送信するか、あるいは自己の配下にある設備機器Ｘ３又はＸ４の電源をオフさせて電力の使い過ぎを防止する機能（デマンド制御機能）を有している。但し、必ずしも電流計測装置Ｄに設備機器Ｘ３，Ｘ４の制御及び監視機能を持たせる必要はなく、設備機器コントローラＣ１が上記デマンド制御機能を搭載してもよい。また、電流計測装置Ｄは必須の構成要件ではなく、電流計測装置Ｄを含まないサブシステムＳＳ１であっても構わない。
【００１８】
また、サブシステムＳＳ２は、図３に示すように住宅内における異常発生を検知する１乃至複数種類のセキュリティ機器Ｙ１，Ｙ２と、各セキュリティ機器Ｙ１，Ｙ２の検知情報を収集するセキュリティ受信器ＳＲと、セキュリティ受信器ＳＲが収集した検知情報を受け取るとともに受け取った当該検知情報を応答メッセージにより宅内ネットワークを通じて伝送するコントローラ（以下、セキュリティコントローラと呼ぶ。）Ｃ２とで構成されるセキュリティシステムである。
【００１９】
セキュリティ機器Ｙ１は、例えば、人体から放射される熱線を検出することによる監視領域内への人の侵入検知や、窓に設置されているクレセント錠の施解錠検知、窓の開閉検知等を行う防犯用のセンサを具備し、センサで異常（人の侵入やクレセント錠の解錠等）を検知したときに当該検知情報を無線信号（若しくは有線信号）でセキュリティ受信器ＳＲに送信する機能を有している。また、セキュリティ機器Ｙ２は、煙や熱を検出することによる火災検知や都市ガスあるいはＬＰガスを検出することによるガス漏れ検知等を行う防災用のセンサを具備し、センサで異常（火災発生やガス漏れ等）を検知したときに当該検知情報を無線信号（若しくは有線信号）でセキュリティ受信器ＳＲに送信する機能を有している。
【００２０】
セキュリティ受信器ＳＲは、セキュリティ機器Ｙ１，Ｙ２から送信された無線信号（若しくは有線信号）を受信することで検知情報を収集し、さらに当該検知情報に対応した処理、例えば、火災やガス漏れあるいは不審者の侵入等の異常発生を家人に知らせるために警報音を鳴動する処理を行うとともに検知された異常の種類や場所等の検知情報を無線信号（若しくは有線信号）でセキュリティコントローラＣ２に送信する処理を行う。ここで、セキュリティ機器Ｙ１，Ｙ２には固有の識別符号（ＩＤ）が割り当てられており、セキュリティ受信器ＳＲでは当該識別符号によって個々のセキュリティ機器Ｙ１，Ｙ２の検知情報を識別可能となっている。また、セキュリティ受信器ＳＲは、上述のようにセキュリティ機器Ｙ１，Ｙ２から検知情報を収集する警戒状態と検知情報を収集しない非警戒状態の２つの動作状態があり、例えば、ワイヤレス送信機（図示せず）から送信されるワイヤレス信号によって警戒状態と非警戒状態の２つの動作状態が択一的に切り換えられる。但し、ワイヤレス送信機にも固有の識別符号が割り当てられており、予め登録されている識別符号以外の識別符号が割り当てられたワイヤレス送信機では動作状態の切換が行えないようになっている。
【００２１】
セキュリティコントローラＣ２は、セキュリティ受信器ＳＲから受け取った検知情報を応答メッセージとして宅内ネットワーク（あるいは宅内ネットワークと外部ネットワーク）を通じて端末装置に送信する機能（警報機能）や、端末装置から制御要求のメッセージを受け取ったときにセキュリティ受信器ＳＲにコマンド（切換指令）を送信してセキュリティ受信器ＳＲの動作状態（警戒状態又は非警戒状態）を切り換えたり、あるいはセキュリティ受信器ＳＲによる警報音の鳴動を停止させたり、端末装置から監視要求のメッセージを受け取ったときにセキュリティ受信器ＳＲにコマンドを送信してセキュリティ受信器ＳＲの動作状態（警戒状態又は非警戒状態）を通知させるとともに、制御要求や監視要求に対する応答（セキュリティ受信器ＳＲの動作状態や警報音の鳴動状況等）のメッセージを要求メッセージの送信元である端末装置に向けて送信させる機能（制御監視機能）を有する。また、セキュリティコントローラＣ２は、自己の配下にあるセキュリティ受信器ＳＲの動作状態等を文字や記号で表示するための多数のウェブページ（ウェブページ群）を保持しており、端末装置からの要求に応じて当該ウェブページ群の中から適切なウェブページを選んで宅内ネットワークを通じて端末装置に提供（配信）する機能（ウェブサーバ機能）を有している。
【００２２】
サブシステムＳＳ３は、図３に示すように住戸外に設置されるカメラ付きドアホン子器（以下、ドアホン子器と略す。）ＤＳと、人体から放射される熱線を検出することで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭと、インターホン親機ＩＭよりドアホン子器ＤＳやセンサカメラＳＣで撮像された画像を受け取るとともに受け取った当該画像を外部ネットワークを通じてセンタ装置ＳＶに伝送するコントローラ（以下、画像転送コントローラと呼ぶ。）Ｃ３とで構成されるインターホンシステムである。
【００２３】
ドアホン子器ＤＳは、通話用のマイクロホン並びにスピーカや来訪者を撮像するためのカメラを具備し、マイクロホンで集音した通話音声を通話線を介してインターホン親機ＩＭに伝送し且つインターホン親機ＩＭから通話線を介して伝送される通話音声をスピーカから鳴動させる通話機能と、呼出釦が押操作されたときに通話線を介してインターホン親機ＩＭに呼出信号を送信する呼出機能と、カメラ（例えば、動画像を出力するＣＣＤカメラ）で撮像された画像を周波数変調して通話音声に多重化することで通話線を介してインターホン親機ＩＭに伝送する画像伝送機能とを有している。また、センサカメラＳＣは、人体から放射される熱線を検出することで監視領域内への人の侵入を検知する熱線センサや動画像を出力するＣＣＤカメラ等を具備し、信号線を介して監視領域の画像をドアホン子器ＤＳに伝送する機能を有している。なお、ドアホン子器ＤＳに伝送された画像は通話線を介してインターホン親機ＩＭに転送される。
【００２４】
一方、インターホン親機ＩＭは、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備し、呼出信号を受信したときにスピーカから呼出音を鳴動する機能と、呼出音の鳴動中又は鳴動後の一定時間内に応答釦が押操作されたときにドアホン子器ＤＳとの間に通話線を介した通話路を形成して通話音声を授受する通話機能と、通話中にドアホン子器ＤＳで撮像され且つ伝送される画像（通話相手を撮像した画像）を周波数復調して液晶ディスプレイに表示する機能と、通話中以外でドアホン子器ＤＳ又はセンサカメラＳＣで撮像され且つドアホン子器ＤＳから伝送される画像を周波数復調して液晶ディスプレイに表示する機能（画像モニタ機能）と、留守録設定中に呼出信号を受信した場合に通話線を介してドアホン子器ＤＳから伝送される画像並びに通話音声を不揮発性の半導体メモリに記録する機能（留守録機能）と、センサカメラＳＣで撮像され且つドアホン子器ＤＳより通話線を介して伝送された画像を不揮発性の半導体メモリに記録する機能（センサカメラ録画機能）と、ドアホン子器ＤＳで特定の操作（例えば、呼出釦の長押し）が行われた場合に通常の呼出音と区別可能な通知音で家人の帰宅を通知する機能（帰宅通知機能）とを有している。
【００２５】
而して、来訪者がドアホン子器ＤＳの呼出釦を押操作すると、常時有効である呼出機能によってインターホン親機ＩＭに通話線を介して呼出信号が伝送され、インターホン親機ＩＭにおいてスピーカから呼出音が鳴動されるとともに、通話線を介してインターホン親機ＩＭから電源が供給されることでドアホン子器ＤＳの画像伝送機能が有効になり、ドアホン子器ＤＳのカメラで撮像された画像がインターホン親機ＩＭの液晶ディスプレイに表示される。そして、液晶ディスプレイに表示された画像で来訪者を確認した家人がインターホン親機ＩＭの応答釦を押操作すれば、通話機能によりドアホン子器ＤＳとの間に通話線を介した通話路が形成されてインターホン親機ＩＭとドアホン子器ＤＳとの間においてスピーカとマイクロホンを使った拡声通話（ハンズフリー通話）が可能になるとともに、通話中においてはインターホン親機ＩＭの液晶ディスプレイにドアホン子器ＤＳから伝送される画像を表示させることが可能になる。但し、インターホン親機ＩＭとドアホン子器ＤＳとの間の拡声通話並びに画像伝送は、応答釦が押操作されてから所定時間が経過するか若しくは再度応答釦が押操作されたときに終了する。また、監視領域における不審者の侵入を検知するとセンサカメラＳＣが撮像した監視領域の画像がドアホン子器ＤＳ経由でインターホン親機ＩＭに伝送されて液晶ディスプレイに表示される。但し、上述のような機能を有するインターホン親機ＩＭ、ドアホン子器ＤＳ、センサカメラＳＣについては、従来周知であるから詳細な構成についての図示並びに説明を省略する。
【００２６】
画像転送コントローラＣ３は、ドアホン子器ＤＳ並びにセンサカメラＳＣからインターホン親機ＩＭに伝送された画像データ及び通話音声データをインターホン親機ＩＭから受け取るとともに受け取ったデータを所定の圧縮方式（例えば、動画像であればＭＰＥＧ４、静止画像であればＪＰＥＧ、音声であればＭＰ３など）で圧縮した後に応答メッセージとして宅内ネットワーク及び外部ネットワークを通じてセンタ装置ＳＶに転送する機能（転送機能）と、インターホン親機ＩＭの留守録機能が有効であるときにインターホン親機ＩＭが画像及び通話音声を記録した旨を宅内ネットワーク並びに外部ネットワークを通じてセンタ装置ＳＶに通知する機能（来客通知機能）と、帰宅通知機能によってインターホン親機ＩＭに家人の帰宅が通知されたときに宅内ネットワーク並びに外部ネットワークを通じてセンタ装置ＳＶに帰宅通知の応答メッセージを転送する機能（帰宅通知転送機能）とを有する。また、画像転送コントローラＣ３は、メモリに記録している画像の一覧等を開示する多数のウェブページ（ウェブページ群）を保持しており、端末装置からの要求に応じて適切なウェブページを選んで宅内ネットワークを通じて端末装置に提供（配信）する機能（ウェブサーバ機能）を有している。
【００２７】
次に、表示制御装置ＣＶについて説明する。表示制御装置ＣＶは住宅内の壁面に埋込配設されるものであって、図１に示すようにマイコンを主構成要素とするマイコン部５０と、宅内ネットワークのＬＡＮケーブルが接続されマイコン部５０と宅内ネットワークのインタフェースを行うＬＡＮインタフェース部５１と、液晶ディスプレイ５２ａ並びにＬＥＤ（図示せず）とそれらのドライバ回路を有する表示部５２と、押釦スイッチや液晶ディスプレイ５２ａの画面上に配設されるタッチパネルを有して操作入力を受け付ける操作部５３と、マイコンで実行するプログラムや種々のデータを記憶するメモリ部５４と、スピーカとスピーカの駆動回路を有するスピーカ部５５とを備えている。また、図示は省略しているが、商用電源から所望の直流電源を作成してマイコン部５０やその他の各部に動作電源を供給するための電源回路も備えている。マイコン部５０にはウェブブラウザが実装されており、各コントローラＣｎ等から提供されるウェブページ並びに予めメモリ部５４に記憶しているウェブページ（以下、内蔵ウェブページと呼ぶ。）をウェブブラウザで再生して表示部５２の液晶ディスプレイ５２ａに表示するとともに、操作部５３のタッチパネルが操作された位置と液晶ディスプレイ５２ａに表示されているアイコン等との位置関係に応じた操作入力を受け付ける。すなわち、マイコン部５０がウェブブラウザ手段であり、操作部５３が操作入力受付手段である。また、メモリ部５４には予め警報音や音声メッセージのデータが圧縮して格納されており、マイコン部５０が必要に応じてメモリ部５４から読み出したデータを伸長してスピーカ部５５に出力すれば、前記警報音や音声メッセージがスピーカから鳴動される。
【００２８】
また、表示制御装置ＣＶは、図２に示すように矩形箱形の合成樹脂成形品からなるハウジング５６の内部に上述した各部５０〜５５が収納されて構成されており、表示部５２が有する液晶ディスプレイ５２ａの画面がハウジング５６前面の左寄りに配置されている。なお、液晶ディスプレイ５２ａの画面には操作部５３が有するタッチパネル（透明であるから番号は付さない）が一体に設けられている。ハウジング５６前面の右寄り上部には、スピーカ部５５から鳴動する音をハウジング５６の外に放射するための多数の孔５６ａがマトリクス状に並べて貫設されている。また、ハウジング５６前面の右寄り下部には、操作部５３が具備する複数の押釦スイッチ（図示せず）を押操作するための操作釦５３ａ，５３ｂ，５３ｃ，５３ｄが縦横２列に並べて配設されている。さらに、ハウジング５６前面の右寄り中央部には、蓋体５６ｂによって開閉自在に閉塞される凹所（図示せず）が設けられており、凹所の底面に電源入／切やマイコン部５０をリセットするための押釦スイッチ（図示せず）、表示部５２のＬＥＤなどが配設されている。なお、図示は省略するが、ハウジング５６の背面にはＬＡＮインタフェース部５１が有するモジュラジャックの差込口と、商用電源からの電源線が接続される端子部の電線挿入孔とが露出している。図２に示した各部の配置は一例であってこれに限定する趣旨ではなく、例えば、表示部５２が有する液晶ディスプレイ５２ａをハウジング５６前面の中央に配置して複数人が同時に画面を見る際の視認性を向上するようにしてもよい。
【００２９】
また本実施形態においては、自ら撮像した画像を宅内ネットワーク経由で配信する機能（ウェブサーバ機能）を有した、いわゆるウェブカメラＷＣがＬＡＮケーブルを介して統合管理装置ＴＭに接続されている（図３参照）。かかるウェブカメラＷＣは従来周知であって、撮像した画像を所定の圧縮方式（例えば、動画像であればＭＰＥＧ４、静止画像であればＪＰＥＧなど）で圧縮してネットワークを通じて配信したり、ネットワークを通じてパンやチルトの遠隔制御が可能である。
【００３０】
ところで本実施形態においては、統合管理装置ＴＭにもウェブサーバ機能が搭載されており、各コントローラＣｎがウェブサーバ機能によって提供するウェブページ群への入り口となるウェブページ（いわゆるポータルサイト）を作成し、宅内ネットワークを通じて住宅内の端末装置（パソコンＰＣや表示制御装置ＣＶ）に提供（配信）している。例えば、表示制御装置ＣＶの液晶ディスプレイ５２ａには、通常、統合管理装置ＴＭで作成された前記ポータルサイトが表示されている。このポータルサイトでは、各コントローラＣｎで提供されるウェブコンテンツ（各サブシステムＳＳｎのウェブページ群）へのリンクがアイコンで表示されており、何れかのアイコン上でタッチパネルが操作されれば、当該アイコンで表示されたリンク先のＵＲＬ（各コントローラＣｎが保有するウェブページ群のＩＰアドレス）に対して表示制御装置ＣＶからウェブコンテンツの送信要求メッセージが送信される。そして、送信要求メッセージを受信したコントローラＣｎが自己の保有するウェブページ群の中から指定されたウェブページを表示制御装置ＣＶに対して送信すれば、前記ポータルサイトに代わって当該コントローラＣｎのウェブページが液晶ディスプレイ５２ａに表示される。
【００３１】
次に、表示制御装置ＣＶを使って設備機器Ｘｍの制御並びに監視を行う場合の動作を、図４のシーケンス図を参照して説明する。
【００３２】
まず、操作部５３の操作釦５３ａが押操作されるとマイコン部５０がＬＡＮインタフェース部５１より統合管理装置ＴＭに対してポータルサイトの送信要求メッセージを送信する（１）。統合管理装置ＴＭは、サブシステムＳＳ１〜ＳＳ３のウェブページ群へのリンクを示すアイコンや個々のサブシステムＳＳ１〜ＳＳ３の名称を示す文字等を表示するポータルサイトを予め作成してメモリに記憶しており、当該メッセージを受け取ったときにメモリからポータルサイトのデータを読み出して送信要求元の表示制御装置ＣＶへ送信する（２）。
【００３３】
表示制御装置ＣＶでは、統合管理装置ＴＭから受け取ったウェブページのデータ（ファイル）をマイコン部５０で実行するウェブブラウザで開くことにより、液晶ディスプレイにポータルサイトを表示する（３）。そして、サブシステムＳＳ１のアイコン上でタッチパネルが操作されれば（４）、当該アイコンで表示されたリンク先のＵＲＬ（設備機器コントローラＣ１が保有するウェブページ群のＩＰアドレス）に対して、前記ウェブブラウザによってウェブページの送信要求メッセージが送信される（５）。そして、送信要求メッセージを受信した設備機器コントローラＣ１が自己の保有するウェブページのデータを表示制御装置ＣＶに送信すれば（６）、マイコン部５０で実行するウェブブラウザで当該データ（ファイル）を開くことによりサブシステムＳＳ１のウェブページが表示部５２の液晶ディスプレイに表示される（７）。このウェブページでは、サブシステムＳＳ１に含まれる設備機器Ｘ１〜Ｘ４の名称と設置場所（例えば、「リビングのエアコン」，「リビングの照明」など）を示した文字、各設備機器Ｘ１〜Ｘ４の動作状態を示す文字、各設備機器Ｘ１〜Ｘ４の動作状態を反転させる操作に対応したボタン等が表示され、これらのボタンに各々他のウェブページがリンクしている。従って、ウェブページに表示される情報から各設備機器Ｘ１〜Ｘ４の動作状態を監視（確認）することができる（８）。
【００３４】
ここで、何れかの設備機器Ｘｍの動作状態を反転させる制御、例えば、現在点灯している照明器具（設備機器Ｘ２）を消灯させる制御を行う場合、ウェブページにおいて設備機器Ｘ４の動作状態を反転させる操作に対応したボタン上でタッチパネルを操作する（９）。すると、前記ウェブブラウザによって当該ボタンが操作されたことを示すメッセージ、つまり、照明器具（設備機器Ｘ２）の消灯制御を要求するメッセージ（要求メッセージ）が宅内ネットワークを通じて設備機器コントローラＣ１のネットワークアドレス宛に送信される（１０）。そして、この要求メッセージを受け取った設備機器コントローラＣ１が照明器具（設備機器Ｘ２）を消灯する（１１）。その後、設備機器コントローラＣ１は照明器具（設備機器Ｘ２）の消灯に対応したウェブページのデータを表示制御装置ＣＶに送信し（１２）、表示制御装置ＣＶのマイコン部５０で実行するウェブブラウザで当該データ（ファイル）を開くことによりサブシステムＳＳ１の他のウェブページが表示部５２の液晶ディスプレイ５２ａに表示される（１３）。当該ウェブページでは、照明器具（設備機器Ｘ２）の動作状態が点灯から消灯に変更されている。但し、何らかの原因で設備機器Ｘｍの制御に失敗した場合、設備機器コントローラ制御部１０が制御に失敗した旨の応答メッセージを作成して表示制御装置ＣＶに送信し、表示制御装置ＣＶの表示部５２（液晶ディスプレイ５２ａ）にエラーメッセージ（要求された設備機器Ｘｍの制御に失敗した旨の文字）が表示される。
【００３５】
次に、セキュリティシステムＳＳ２において、セキュリティコントローラＣ２がセキュリティ受信器ＳＲから異常発生（例えば、火災やガス漏れの発生あるいは不審者の侵入など）を示す検知情報を取得した場合の動作を、図５のシーケンス図を参照して説明する。
【００３６】
何れかのセキュリティ機器Ｙ１，Ｙ２で異常が検出され、セキュリティコントローラＣ２がセキュリティ受信器ＳＲから異常発生の検知情報を取得すると（１）、セキュリティコントローラＣ２は当該検知情報を含む応答メッセージ（以下、連携メッセージと呼ぶ。）を作成して宅内ネットワーク内に一斉同報（ブロードキャスト）する（２）とともに、センタ装置ＳＶにも異常発生通報のためのメッセージを送信する（３）。
【００３７】
前記連携メッセージを受け取った表示制御装置ＣＶでは、マイコン部５０が受け取った連携メッセージに含まれる検知情報から発生した異常の内容（例えば、火災やガス漏れの発生あるいは不審者の侵入など）を判断し、その内容に応じた警報音（例えば、「火災が発生しました。すぐに避難してください。」あるいは「不審者が侵入しました。」などの音声メッセージ）をスピーカ部５５に鳴動させるとともに、異常の内容に応じた警報表示（例えば、「○○で火災が発生しました。」あるいは「××に不審者が侵入しました。」などのメッセージ）を表示部５２の液晶ディスプレイ５２ａに表示させる（４）。
【００３８】
また、センタ装置ＳＶでは、セキュリティコントローラＣ２から受け取った異常発生の通報メッセージを、予め登録されている携帯電話機ＭＰのメールアドレスに送信することで異常の発生を外出中の家人に通知する（５）。
【００３９】
一方、連携メッセージを受け取った他のコントローラ、すなわち、設備機器コントローラＣ１と画像転送コントローラＣ３においては、受け取った連携メッセージに含まれる検知情報から発生した異常の内容を判断し、予め決められているルールに則り、必要であれば異常の内容に応じた制御動作を実行する（６）。例えば、火災が発生している場合に設備機器コントローラＣ１が照明器具を点灯することで避難し易くしすることが可能である。但し、ガス漏れが発生している場合、設備機器Ｘｍの動作状態が切り換えられると電源のオン又はオフに伴って発生した火花が漏れたガスに引火する虞があるので、設備機器コントローラＣ１では、仮に制御要求メッセージを受け取っても全ての設備機器Ｘｍについての制御を無効とする。
【００４０】
ところで、表示制御装置ＣＶを使って設備機器Ｘｍやセキュリティ機器Ｙｎ等の制御や監視を行う際、目的の設備機器Ｘｍやセキュリティ機器Ｙｎ等に対応したボタンやアイコンを含むウェブページを表示部５２の液晶ディスプレイに表示するまでに多数のリンクを辿って行かなくてはならない場合がある。
【００４１】
そこで本実施形態では、表示制御装置ＣＶにおいて、操作部５３で入力受付した検索条件に一致するウェブページの検索を要求する要求メッセージをマイコン部５０で作成してコントローラＣｎ宛てに送信し、検索要求の要求メッセージに対して各コントローラＣｎで行われた検索結果をマイコン部５０で受け取って表示部５２の液晶ディスプレイに表示させるようにしている。
【００４２】
なお、各コントローラＣｎが保持するウェブページには住宅設備の種類、用途、設置場所の少なくとも何れかを示すキーワードが含まれており、以下、図６のフローチャートを参照しつつ、かかるキーワードを検索条件としてウェブページを検索する手順について説明する。
【００４３】
操作部５３で検索モードへの切換入力を受け付けると（ステップ１）、マイコン部５０で実行するウェブブラウザでメモリ部５４に記憶している検索条件入力用の内蔵ウェブページを読み出して表示部５２の液晶ディスプレイに表示する（ステップ２）。この検索条件入力用内蔵ウェブページでは、操作部５３のタッチパネルを使って平仮名や片仮名、英数字等の文字入力を受け付けるためのボタンＢ１〜Ｂ１６と入力された文字を表示する入力文字表示領域Ｗを表示する（図７（ａ）参照）。例えば、利用者がボタンＢｋ（ｋ＝１〜１６）上でタッチパネルを操作して「たろう」という文字を入力し、さらに「漢字」のボタンＢ１４上でタッチパネルを操作すると、マイコン部５０が搭載している日本語入力システムにより「たろう」の平仮名が「太郎」の漢字に変換される。そして、検索条件（例えば、「太郎」のキーワードを含むこと）が操作部５３で入力受付されると（ステップ３）、マイコン部５０が当該検索条件に一致するウェブページの検索を要求する要求メッセージを作成してＬＡＮインタフェース部５１より各コントローラＣｎ宛てに送信させる（ステップ４）。
【００４４】
一方、検索要求メッセージを受け取った各コントローラＣｎでは、自己が保持するウェブページ群の中から検索条件に一致するウェブページ（すなわち、ハイパテキスト文書内に前記キーワードを含むウェブページ）を検索し、検索条件に一致するウェブページが見つかれば当該ウェブページのＵＲＬを含む応答メッセージを作成し、検索条件に一致するウェブページが見つからなければ該当するウェブページが存在しない旨の応答メッセージを作成し、それぞれ宅内ネットワークを通じて表示制御装置ＣＶに返信する。
【００４５】
表示制御装置ＣＶでは、ＬＡＮインタフェース部５１で各コントローラＣｎから応答メッセージを受信すると（ステップ５）、マイコン部５０が、それらの応答メッセージより少なくとも何れかのコントローラＣｎで検索条件に一致するウェブページが見つかったか否かを判別する（ステップ６）。そして、何れかのコントローラＣｎでも検索条件に一致するウェブぺージが見つからなかった場合、マイコン部５０は、例えば「検索条件に一致するウェブページは見つかりませんでした。」というようなメッセージを表示部５２の液晶ディスプレイに表示する（ステップ７）。一方、何れかのコントローラＣｎで検索条件に一致するウェブぺージが見つかった場合、マイコン部５０は、当該コントローラＣｎから返信された応答メッセージに含まれているＵＲＬに送信要求メッセージを送信することにより、検索条件に一致したウェブページをコントローラＣｎから受信し（ステップ８）、検索結果表示用のウェブページを作成して表示部５２の液晶ディスプレイに表示する（ステップ９）。その後、マイコン部５０は検索モード終了の入力が操作部５３で受け付けられれば検索モードを終了し、検索モード終了の入力が操作部５３で受け付けられなければステップ２に戻って検索条件入力用の内蔵ウェブページを表示部５２の液晶ディスプレイに表示する。
【００４６】
ここで、検索結果表示用のウェブページの一例を図７（ｂ）に示す。マイコン部５０では、各コントローラＣｎから受信したウェブページ（検索条件に一致したウェブページ）のハイパテキスト文書からキーワード（「太郎」の文字列）を含む機能ブロック、例えば「太郎」の文字列を含むボタンを表示するための記述部分を複写するとともに新規のハイパテキスト文書に貼り付けることで検索結果表示用のウェブページを作成している。このウェブページでは、図７（ｂ）に示すように「太郎」の文字列を含む３つのボタンＢ２０，Ｂ２１，Ｂ２２と前の画面（検索条件入力用の内蔵ウェブページの画面）に戻るためのボタンＢ２３とを表示する。そして、利用者が何れかのボタン、例えば、「太郎の部屋の照明」と表示されたボタンＢ２０上でタッチパネルを操作すれば、既に説明した手順で表示制御装置ＣＶから設備機器コントローラＣ１に対して、「太郎の部屋の照明器具」に該当する設備機器（照明器具）Ｘｍを点灯又は消灯する制御要求メッセージが送信され、その結果、「太郎の部屋の照明器具」を点灯又は消灯することができる。但し、「太郎」という文字列は住宅設備の設置場所を示すキーワードの一例であって、住宅設備の種類（例えば、照明器具やエアコンなど）や用途（セキュリティなど）を示すキーワードで検索することも可能である。
【００４７】
また、文字の代わりに予め用意した複数種類の検索キーを検索条件入力用の内蔵ウェブページで表示してもよく、例えば、住宅設備の種類、用途、設置場所などを表したアイコン（照明器具のアイコンやエアコンのアイコン、セキュリティ機器のアイコンなど）を検索キーとして表示すればよい。そして、何れかのアイコン、例えば、照明器具のアイコン上でタッチパネルが操作されると、「照明器具」のキーワードを含むという検索条件並びに照明器具である設備機器Ｘｍの制御又は監視に関連するという検索条件で検索が行われる。
【００４８】
上述のように本実施形態では、操作入力受付手段たる操作部５３で受け付けた検索条件に一致するウェブページの検索を要求する要求メッセージを検索要求手段たるマイコン部５０で作成してＬＡＮインタフェース部５１より各コントローラＣｎ宛てに送信させ、前記検索要求の要求メッセージに対して各コントローラＣｎで行われた検索結果をマイコン部５０で実行するウェブブラウザがＬＡＮインタフェース部５１より受け取って表示部５２の液晶ディスプレイに表示させるので、従来のように何階層ものリンクを辿らなくても、所望のウェブページを容易に探し出して表示できるという利点がある。また、住宅設備の種類、用途、設置場所等を示すキーワードで検索したり、あるいは、文字又は予め用意された複数種類の検索キーを使って検索することができ、所望のウェブページをさらに容易に探し出すことができるという利点がある。なお、検索モードへの切換入力受付は、操作部５３が具備する何れかの操作釦５３ａ，５３ｂ，５３ｃ，５３ｄを長押ししたり、あるいは、専用の操作釦（図示せず）を操作することで行われる。
【図面の簡単な説明】
【００４９】
【図１】本実施形態における表示制御装置のブロック図である。
【図２】同上の外観正面図である。
【図３】同上のシステム構成図である。
【図４】同上における動作説明用のシーケンス図である。
【図５】同上における動作説明用のシーケンス図である。
【図６】同上におけるウェブページの検索手順を説明するためのフローチャートである。
【図７】（ａ）（ｂ）はそれぞれ同上における検索条件入力用の内蔵ウェブページ、検索結果表示用のウェブページを説明する説明図である。
【符号の説明】
【００５０】
ＣＶ  表示制御装置
５０  マイコン部
５１  ＬＡＮインタフェース部
５２  表示部
５２ａ  液晶ディスプレイ
５３  操作部
【図１】
2007257523.tif 000003
【図２】
2007257523.tif 000004
【図３】
2007257523.tif 000005
【図４】
2007257523.tif 000006
【図５】
2007257523.tif 000007
【図６】
2007257523.tif 000008
【図７】
2007257523.tif 000009